(57)【特許請求の範囲】
【請求項１】
複数の変動部材を隣接状に連なるように配設し、該各変動部材をそれぞれ弾性部材により独立して上向に付勢すると共に、該各変動部材は上面に載った遊技球の荷重により前記弾性部材の弾性に抗して独立して下動するように支持され、且つ該各変動部材を独立して下動させる駆動装置を設け、該各変動部材にその下動を検出するセンサを設け、さらに該各変動部材毎に対応する音程の異なる音声を出力可能な音声出力装置を備え、前記センサが作動することで前記音声出力装置を作動させるようにしたことを特徴とする球誘導遊技装置。
【請求項２】
変動部材上に載った遊技球が移動するように隣接する変動部材の上面の高さに段差を設けた請求項１に記載の球誘導遊技装置。
【請求項３】
各変動部材はピアノ鍵盤を模して横方向に隣接状に連なるよう配設され、外力が作用していない状態では該各変動部材の上面が略水平であり、遊技球が載った状態ではその遊技球の荷重により各変動部材が前傾状に下動するように構成され、かつ中央部付近に位置する変動部材の高さが低くなるように隣接する変動部材の上面の高さに段差を設けたものである請求項１または２に記載の球誘導遊技装置。
【請求項４】
透光性乳白色のプラスチックにより各変動部材を成形し、該各変動部材の下部に発光装置を設けた請求項１〜３のいずれかに記載の球誘導遊技装置。
【発明の詳細な説明】
【技術分野】
【０００１】
本発明は、遊技球に変化に富んだ動きをさせることにより遊技者を楽しませるパチンコ機の球誘導遊技装置に関するものである。
【背景技術】
【０００２】
いわゆるセンター役物と称されるパチンコ遊技機における球誘導装置は、従来から遊技球に様々な動きをさせることにより遊技者を楽しませるように構成している。例えば下記特許文献１に示された装置では、遊技球が誘導されるステージに、遊技球の荷重により上下方向に変位する可動部を設けることにより、遊技球の動きを変化させ、遊技者を楽しませることを企図している。
【特許文献１】特開２００２−８５６７６号公報
【発明の開示】
【発明が解決しようとする課題】
【０００３】
ところが従来の装置は、上記特許文献１に示されたものにおいても単一の可動部を有しているだけのものであったので、遊技球の動きが単調で、十分な面白味が具現されていないという問題がある。
そこで本発明は、ステージに誘導された遊技球に一層変化に富んだ動きをさせ、遊技者を楽しませることのできるパチンコ遊技機を提供しようとするものである。
【課題を解決するための手段】
【０００４】
そのために請求項１に記載した球誘導遊技装置は、複数の変動部材を隣接状に連なるように配設し、該各変動部材をそれぞれ弾性部材により独立して上向に付勢すると共に、該各変動部材は上面に載った遊技球の荷重により前記弾性部材の弾性に抗して独立して下動するように支持され、且つ該各変動部材を独立して下動させる駆動装置を設け、該各変動部材にその下動を検出するセンサを設け、さらに該各変動部材毎に対応する音程の異なる音声を出力可能な音声出力装置を備え、前記センサが作動することで前記音声出力装置を作動させるようにしたことを特徴とする。
また、請求項２に記載した発明は上記球誘導遊技装置において、変動部材上に載った遊技球が移動するように隣接する変動部材の上面の高さに段差を設けたことを特徴とする。
また、請求項３に記載した発明は上記球誘導遊技装置において、各変動部材はピアノ鍵盤を模して横方向に隣接状に連なるよう配設され、外力が作用していない状態では該各変動部材の上面が略水平であり、遊技球が載った状態ではその遊技球の荷重により各変動部材が前傾状に下動するように構成され、かつ中央部付近に位置する変動部材の高さが低くなるように隣接する変動部材の上面の高さに段差を設けたものであることを特徴とする。
また、請求項４に記載した発明は上記球誘導遊技装置において、透光性乳白色のプラスチックにより各変動部材を成形し、該各変動部材の下部に発光装置を設けたことを特徴とする。
【発明の効果】
【０００５】
ステージに誘導された遊技球に斬新で変化に富んだ動きをさせられると同時に、その遊技球の挙動に合った光と音による演出がなされ、遊技者を一層楽しませることができる。
【発明を実施するための最良の形態】
【０００６】
図１は本発明に係るパチンコ遊技機の遊技盤の正面図で、図中、１は該遊技盤の中央にディスプレイ２を囲うセンター役物として設けられた球誘導遊技装置である。また、３は該球誘導遊技装置の下部に設けられた始動入賞口、４はソレノイドにより開閉する扉が設けられた大入賞口、５〜８は普通入賞口、９はアウト球排出口である。
【０００７】
球誘導遊技装置１は、ディスプレイ２を囲う枠体１０の左右両肩部に球入口１１ａ，１１ｂが形成され、該球入口１１ａ，１１ｂから下方にワープ通路１２ａ，１２ｂが形成され、該ワープ通路１２ａ，１２ｂの下端は該枠体の下辺部に形成されたステージ１３の両側縁に開口する。ステージ１３は、図２に拡大して示したように、前縁が正面から見て緩やかな波を描くような湾曲形状に形成された上段ステージ１３ａと中段ステージ１３ｂとが夫々上下に階段状に形成されている。そして該中段ステージの下にピアノ鍵盤（白鍵）を模した複数の変動部材１４ａ〜１４ｍが横方向に隣接状に連なるように配設される。該各変動部材１４ａ〜１４ｍは図４に示したように該ステージ内奥部に横架された支軸１５に枢支することによりそれぞれ独立して上下動するように支持され、該支軸１５に巻着したバネ等の弾性部材１６により該各変動部材１４ａ〜１４ｍを上向に付勢している。このため外力が作用してない状態では該各変動部材１４ａ〜１４ｍの上面は略水平であり、遊技球Ｂが載った状態では図４に示したように該遊技球Ｂの荷重により各変動部材が弾性部材１６の弾性に抗して前傾状に下動する。また、中央部付近に位置する変動部材１４ｅ〜１４ｉの高さが低くなるように隣接する変動部材の上面の高さに段差が設けられ、かつ、各変動部材の上面は中央部に位置する変動部材の方向に向けて緩やかな傾斜状に形成されている。また、該変動部材１４ｅ〜１４ｉの前方は中央に集束する球誘導斜面１７が形成され該球誘導斜面の中央直下に前記始動入賞口３が位置するようにしている。１９ａ〜１９ｈはピアノ鍵盤（黒鍵）を模して上記変動部材１４ａ〜１４ｍ間に位置するようにステージ１３の前縁に突設された固定案内部材である。
【０００８】
また、２０ａ〜２０ｍは各変動部材１４ａ〜１４ｍの上下動を検出するセンサであるマイクロスイッチで、該各センサは各変動部材１４ａ〜１４ｍの後端部に延設された触子部２１ａ〜２１ｍと相対するように設けられる。２２ａ〜２２ｍは該各変動部材１４ａ〜１４ｍの下部にそれぞれ設けたランプ，ＬＥＤ等からなる発光装置で、該各変動部材１４ａ〜１４ｍは透光性乳白色のプラスチックにより成形され、該発光装置２２ａ〜２２ｍが点灯することによりピアノ鍵盤（白鍵）のように配置された該各変動部材１４ａ〜１４ｍが明るく光るように構成される。
【０００９】
３０は各変動部材を夫々独立して上下動させられるようにする駆動装置で、図６にも示したように、各変動部材１４ａ〜１４ｍの奥部にモータ３１により回転動する回転軸３２を水平に支持し、該回転軸３２にカム片３３ａ〜３３ｍをそれぞれ各変動部材１４ａ〜１４ｍの上面に相対するように設け、該カム片３３ａ〜３３ｍが回転することにより図５に示したように該変動部材が該カム片により押圧され、該各変動部材を上下動させるよう構成される。
【００１０】
図６はこのパチンコ遊技機の電気制御系をブロック図により示したもので、３５は上記ディスプレイ２，始動入賞口３，大入賞口４等を作動させる遊技制御回路である。該遊技制御回路３５に音声出力装置３６を設け、該音声出力装置に内蔵された電子音源３７にセンサ２０ａ〜２０ｍの出力線を接続している。このため、変動部材１４ａ〜１４ｍが下動しセンサ２０ａ〜２０ｍが作動すると該電子音源３７が各変動部材１４ａ〜１４ｍ毎に音程の異なるピアノ音等の楽音を発生させ、その音がスピーカ３８より再生され遊技者に聞こえるようにしている。また、センサ２０ａ〜２０ｍが作動したとき、該センサに該当する発光装置２２ａ〜２２ｍが点灯し、該変動部材１４ａ〜１４ｍが明るく光るようにしている。
【００１１】
また、遊技制御回路３５にからの指令により前記モータ３１を起動させ複数のカム片３３ａ〜３３ｍを回転させることにより、該カム片によって予め設定された順に各変動部材１４ａ〜１４ｍを上下動させセンサ２０ａ〜２０ｍを作動させることから、遊技制御回路３５にからの指令によっても発光装置２２ａ〜２２ｍを点灯させ、同時にスピーカ３８よりピアノ音等を発生させる。このためこの駆動装置３０が作動することで、スピーカ３８から所定のメロディーが再生される。
【００１２】
このように構成したパチンコ遊技機では、遊技盤上に発射された遊技球が球入口１１ａまたは１１ｂに入り、ワープ通路１２ａ，１２ｂを通って上段ステージ１３ａ上に放出され該上段ステージ１３ａから中段ステージ１３ｂに落下する。そして中段ステージ１３ｂの前縁から落下した遊技球は固定案内部材１９ａ〜１９ｈ上に載って前方に導かれたり、変動部材１４ａ〜１４ｍの何れかの上面に載る。遊技球Ｂが載ることでその荷重により該変動部材は下動し、その下動が前記センサにより感知され前記発光装置を点灯させると同時にスピーカ３８よりピアノ音等を発生させる。
【００１３】
また、複数の変動部材１４ａ〜１４ｍが隣接状に連なるように配設され、該各変動部材は独立して上下動するように支持されていることから、該変動部材上に載った遊技球はその勢いによっては隣の変動部材上にも転がり得る。このため、遊技球の挙動が変化に富んだものになると共に、発光装置２２ａ〜２２ｍが遊技球の移動に伴ってきらきらと点滅し、発生するピアノ音等の音程も予め決められたものでなく多様に変化する。また、中央部付近に位置する変動部材１４ｅ〜１４ｉの高さが低くなるように隣接する変動部材１４ａ〜１４ｍの高さに段差が設けられていることから、遊技球が一旦は端の方の変動部材１４ａ〜１４ｄまたは１４ｊ〜１４ｍ上に載っても次第に中央寄りの変動部材上に移動し、球誘導斜面１７から落下することで直下の始動入賞口３に入賞し易い状態となる。また、端の方の変動部材１４ａ〜１４ｄまたは１４ｊ〜１４ｍ上に載った遊技球は中央寄りに移動することなくそのまま前方に落下し始動入賞口３に入賞できない状態ともなる。このため遊技者は音の変化や点滅状況等によってもその遊技球の動きが分かり、始動入賞口３への入賞の可否を推測する楽しみを得ることもできる。
【００１４】
また、変動部材１４ａ〜１４ｍはピアノ鍵盤を模しているので、ディスプレイ２に例えばバンド演奏や歌唱のライブ画像を放映し、上記駆動装置３０を作動させることにより、その画像と音楽に合わせて変動部材１４ａ〜１４ｍが上下動し、自動演奏ピアノが演奏されているような状況となり、遊技者はバンド演奏にメンバーとして加わっているような臨場感のある雰囲気を満喫することができ、パチンコ遊技が一層楽しいものに演出される。
【図面の簡単な説明】
【００１５】
【図１】本発明に係るパチンコ遊技機の遊技盤の正面図。
【図２】図１の遊技盤に設けられた球誘導遊技装置の要部を斜め上から見た拡大図。
【図３】図２のＡ−Ａ線断面図。
【図４】図３の作動状態図。
【図５】図３の作動状態図。
【図６】本発明に係るパチンコ遊技機の電気制御系を示すブロック図。
【符号の説明】
【００１６】
１                球誘導遊技装置
３                始動入賞口
１３              ステージ
１４ａ〜１４ｍ    変動部材
１５              支軸
１６              弾性部材
２０ａ〜２０ｍ    センサ
２２ａ〜２２ｍ    発光装置
３０              駆動装置
３１              モータ
３２              回転軸
３３ａ〜３３ｍ    カム片
３５              遊技制御回路
３６              音声出力装置
３７              電子音源
３８              スピーカ
Ｂ                遊技球
【図１】
0004469799.tif 000002
【図２】
0004469799.tif 000003
【図３】
0004469799.tif 000004
【図４】
0004469799.tif 000005
【図５】
0004469799.tif 000006
【図６】
0004469799.tif 000007